(57)【要約】      （修正有）【課題】インキなどの筆記材の収容状態やインキタンクの材質に影響を受けずに残量を確実に表示する。【解決手段】本体１と表示筒６とをコイルスプリング５にて連結し、表示筒を把持したときに、インキタンクの重みでコイルスプリング５が伸び重みに見合った位置を窓孔６ｂに指示部材４ｂが表示される。使用によってインキや芯を消費して、タンクが軽くなればその分コイルスプリングが縮み、再度筆記材タンクの重みに見合った位置を表示するので、インキや芯そのものを見ずとも残量を確認することができる。【選択図】図１
2008246771.tif 000002
【特許請求の範囲】
【請求項１】
筆記材タンクと筆記材の容量確認用の把持部材とを、伸縮部材を介して連結し、該伸縮部材の伸縮程度を表示可能となした筆記具。
【請求項２】
前記容量確認用の把持部を筒状となし、内部に伸縮部材の少なくとも一部が収容されるようなすと共に、把持部の側部に目盛りを表示して、伸縮部材の伸縮程度を比較可能とした請求項１記載の筆記具。
【発明の詳細な説明】
【技術分野】
【０００１】
本発明は、内蔵されたインキやシャープペンシルの芯などの筆記材を吐出して消費し、筆跡を形成する筆記具に関し、更に詳しくは、筆記材の残量を視認できる筆記具に関する。
【背景技術】
【０００２】
従来、内蔵するインキを使用と共に消費する筆記具としては、インキ吸蔵体に毛細管力によってインキを吸蔵させたもの（特許文献１参照）、中空のインキタンクにインキがタンク内を自由に移動可能に収容したもの、（特許文献２参照）、中空のインキタンクにインキを収容するが、インキ界面上に、インキの消費に伴って追従するフォロアーを配置して内部に空気を極力収容しないようになしたもの（特許文献３参照）などが知られている。
また、インキのほか、替芯などの筆記材を内部に収容し、ノック操作などによって替芯を本体の先端部より突出させるようなしたシャープペンシル（特許文献４参照）なども知られている。
【特許文献１】特開２００６−２５６０４５号公報
【特許文献２】特開２００７−０３０２５６号公報
【特許文献３】特開２００６−０２７１０５号公報
【特許文献４】特開２００６−３１５２８３号公報
【発明の開示】
【発明が解決しようとする課題】
【０００３】
特許文献１に開示されているような、インキ吸蔵体の毛細管力によってインキを吸蔵保持させたものは、インキを消費した後でもインキ吸蔵体にインキが残留していたり、繊維がインキ色に染まるなどして、インキの残量を視認し難いという問題があった。
【０００４】
特許文献２、３に開示されているような、インキ吸蔵体を使用しないインキタンクに直接にインキを収容するもので、タンクを透明で内部が視認できる材質のものを使用したとしても、タンクの内壁が染色されてしまうことがあった。
【０００５】
特許文献４に示されているようなシャープペンシルでは、通常は芯が出てこなくなるまで芯の残量を把握できず、部材を透明性のものとしても、芯がタンク内にて擦れるなどして芯粉が内壁を汚し、芯の残量を視認し難くしてしまうものであった。
【課題を解決するための手段】
【０００６】
本発明は、筆記材タンクと筆記材の容量確認用の把持部材とを、伸縮部材を介して連結し、該伸縮部材の伸縮程度を表示可能となした筆記具を要旨とする。
【発明の効果】
【０００７】
把持部材のみを持てば、タンクの重みで伸縮部材が伸び、そのときの重みに見合った位置を表示し、使用によってインキや芯を消費して、タンクが軽くなればその分伸縮部材が縮み、再度筆記材タンクの重みに見合った位置を表示するので、インキや芯そのものを見ずとも残量を確認することができる。
【発明を実施するための最良の形態】
【０００８】
本発明は、基本的にインキや芯を収容する筆記材タンクと、タンク内の筆記材を接続して吐出するペン先を有し、筆記材タンクを伸縮部材にて把持部材と接続している。
筆記材タンクは、筆記材がインキである場合には、内部に、繊維収束体や多孔質体などのインキ吸蔵体を収容するものでも、インキ吸蔵体を使用せずに、中空のタンク内に直接インキを収容するものであっても良い。直接にインキを収容する場合には、インキ界面に、インキの消費に伴って界面と接触状態を維持しながら追従するフォロワーを配置したものでもよい。フォロワーを配置したものの場合、インキの消費に伴う体積減少分の空気を取り込むためにインキタンクの後部に通気孔を開口する必要がある。
【０００９】
把持部材は、筆記材タンクと伸縮部材にて連結されており、それ以外では把持部材と筆記材タンクとは互いの位置関係の影響を極小になすようにしてある。即ち、把持部材を把持して筆記具を持ち上げた際に、筆記材タンクの重みが直接に伸縮部材の伸縮程度に影響するためである。ただし、通常の筆記時など、筆記材の残量を表示する必要がない、又は、しない際には、別のある程度の剛性を有する部材で連結するなどの両者を固定する機構を設けることもできる。例えば、把持部材は、筆記具の外装体をなす筒状の軸体として、その内部にインキタンクを前後動自在に吊るした様な形で収容し、両者の間に伸縮部材としてコイルスプリングを介在させるようなものとし、インキ残量（インキタンクの重さ）を表示しないときには、両者の隙間に硬質のゴム部材を挟んでインキタンクの移動を制限することもできる。
【００１０】
伸縮部材は、上述のコイルスプリングの他に、板バネや、ゴム状弾性体やエラストマーからなる部材を例示できる。伸縮部材は、筆記材タンクと把持部材とに、直接又は別部材を介して接続され、筆記材タンクの重さによって、筆記材タンク、把持部材、それぞれに対する接続部の距離を変位させるものであり、その変位量（伸縮の量）が、筆記材タンクの重さを表すことができるので、それを表示することによってインキ残量の目安とすることができる。芯のような一本が軽い筆記材の場合や、微小なインキ残量を表示したいものの場合には、微小な荷重でも大きく伸縮変化するような感度の高い伸縮部材を採用すればよい。
【００１１】
筆記材の残量の表示は、上述の伸縮部材の長さを表示することによってなされる。伸縮部材が配置されている部分に窓孔を開けたり、部材を透明にしたり、伸縮部材事態を外装の外に配置するなどして、伸縮部材を直接に視認できるようにしてもよいし、把持部材と筆記材タンクの何れか一方に目盛りを配し、他方にその目盛りを指示する針などの印を配置して、筆記材の量が満ちている状態からほぼ空の状態までをメーター状に表示することもできる。また、筆記材の量が満ちている状態からほぼ空の状態まで、連続的に表示せずとも、二分の一、三分の一といった特定の割合の場合のみ表示することもできるし、色の変化や文字で表示するような機構を備えるものとしてもよい。
【００１２】
ペン先としては、通常筆記具に使用されているものが際限なく使用できる。一例を挙げると、筆記部材として回転自在なボールを抱持したボールペンチップ、ボールや弁体をコイルスプリングで付勢した先端弁式ペン先、繊維集束体ペン先、筆状ペン先、連通孔を有する合成樹脂の押出成形ペン先、セラミックやウレタンなどを使用した多孔質ペン先、万年筆のような金属ペン先、チャックを備えた繰り出し機構を内蔵するシャープペンシル用ペン先などが使用可能である。
【００１３】
インキタンクに収容され、筆記時に筆跡を形成するインキも、インキタンク内に収容可能で、ペン先よりの吐出ができるものであるならば制限なく使用することができる。水を主媒体とする水性インキ、アルコールやメチルシクロヘキサンなどの有機溶剤を主媒体とする油性インキ、着色材として顔料を使用した顔料インキ、染料を使用した染料インキ、多糖類や樹脂によって、剪断減粘性が付与されたゲル状インキ（剪断減粘インキ）、誤字を隠蔽する修正液、墨汁などが例示できる。
【００１４】
インキをペン先に導く手段も、単に連通孔としてのインキ通路を形成したものの他に、操作によって開口／閉塞する弁機構を備えるものや、毛細管力を備えた繊維集束体などのインキ誘導部材を備えたもの、断面櫛歯状の一時的インキ溜め部を有する一時的インキ溜め部材を供えるものなど、筆記具に通常使用されているものを種々採用することができる。
【実施例】
【００１５】
以下、図面に基づき一例について説明する。
図１に示したものは、本体１内に、直接インキ２を収容した本体一体型のインキタンクを備える筆記具であり、本体の先端に設置した繊維集束体製のペン先３の毛細管力によってインキがペン先３に染み込み筆記できるようなしたものである。
本体１の後端開口部には、後述する容量確認用の把持部材と伸縮部材を介して接続するための尾栓４が嵌められている。尾栓４は、伸縮部材に該当するコイルスプリング５の固定部である凸部４ａを有し、コイルスプリング５の巻き基部が嵌められている。また、尾栓４には、インキ残量の表示のための印となる指示部材４ｂが固定されている。
【００１６】
本体１の後部には、この後部を被覆した状態で、容量確認用の把持部材となる有底筒状の表示筒６が配置されている。表示筒６は、内底に前述のコイルスプリング５を固定する凸部６ａを有し、側壁には、前記指示部材４ｂが挿出する窓孔６ｂが形成されている。外観図である図２に示すように、窓孔６ｂは、本体１内のインキの重量によって、インキが満ちている状態からインキが存在しない状態によって伸縮する範囲に応じた長手方向長さを有しており、孔の外側開口部近傍に、指示部材４ｂが指し示す位置を全体の範囲に対する割合が視認できるように目盛り４ｃが記されている。本例においては、本体１と表示筒６とは、コイルスプリング５のみにて連結されており、表示筒６のみを把持して筆記具を持ち上げた時に、インキタンクである本体１の重みによって、指示部材４ｂと目盛り４ｃとの位置関係が決まり、インキが満ちている状態からインキが存在しない状態までの間の位置を表示する。
【００１７】
図３に他の一例を示す。
容量確認用の把持部材をインキタンクとなる本体１の内部に配置した一例である。
前述の一例と同様の部分については説明を省略するが、インキタンクを構成する本体１の内側に把持部材を配置した例である。
即ち、本体１の後部に表示部となる窓孔６ｂを形成し、その前方内部に尾栓４を嵌め、尾栓４の凸部４ａにコイルスプリング５を固定している。コイルスプリング５の他端は本体１の後端開口部から突出して配置された把持部７の前端に固定されている。本体１の後端開口部には内方突出部が形成されており、これに対して把持部７の外壁には周状の鍔部７ａが形成されているので、把持部７が本体１から抜け落ちることはない。
把持部７を持った状態を図４に示す（把持している手は図示省略）。図面の下方が重力のかかる方向である。
把持部７には指示部材８が取り付けられており、窓孔６ｂの範囲の特定位置を指示する。即ち、インキの収容された本体１の重さによって、伸縮部材であるコイルスプリング５が伸び、指示部材８が窓孔６ｂの範囲に位置する。尚、本体１を把持したり、筆記具を静置した場合など、把持部材８を把持しない状態（図３に示した状態）では、指示部材８は窓孔の範囲内に位置せず、非表示状態となる。
【図面の簡単な説明】
【００１８】
【図１】一例を示す要部縦断面図。
【図２】一例の外観図。
【図３】他の一例を示す要部縦断面図。
【図４】使用状態を示す要部縦断面図。
【符号の説明】
【００１９】
１  本体
２    インキ
３  ペン先
４  尾栓
４ａ  凸部
４ｂ指示部材
４ｃ  目盛り
５  コイルスプリング
６  表示筒
６ａ  凸部
６ｂ  窓孔
７  把持部
７ａ  鍔部
８  指示部材
【図１】
2008246771.tif 000003
【図２】
2008246771.tif 000004
【図３】
2008246771.tif 000005
【図４】
2008246771.tif 000006